(57)【要約】【課題】野菜室の湿度を適切に検知して湿度制御する冷蔵庫を得ることを目的とする。【解決手段】野菜室と、該野菜室の後部上方から冷気を吹き出す冷気吹出し口と、を備えた冷蔵庫において、前記野菜室の背面壁であって前記冷気吹出し口と前記収納容器の間に設置されて、前記野菜室内の湿度を検知する湿度センサを備える。さらに、前記冷気吹出し口に前記野菜室への冷気吹出し量を制御する野菜室ダンパを備える。【選択図】  図７
2012092986.tif 000002
【特許請求の範囲】
【請求項１】
野菜室と、該野菜室の後部上方から冷気を吹き出す冷気吹出し口と、を備えた冷蔵庫において、
前記野菜室の背面壁であって前記冷気吹出し口と収納容器の間に設置されて、前記野菜室内の湿度を検知する湿度センサを備えたことを特徴とする冷蔵庫。
【請求項２】
前記冷気吹出し口に前記野菜室への冷気吹出し量を制御する野菜室ダンパを備えたことを特徴とする、請求項１記載の冷蔵庫。
【請求項３】
圧縮機駆動時、前記湿度センサの検知湿度が所定湿度以下の場合、前記野菜室ダンパを閉じて、前記検知湿度が所定湿度以上の場合、前記野菜室ダンパを開けることを特徴とする、請求項２記載の冷蔵庫。
【請求項４】
圧縮機停止時、前記湿度センサの検知湿度が所定湿度以下の場合、前記野菜室ダンパを開いて、前記検知湿度が所定湿度以上の場合、前記野菜室ダンパを閉じることを特徴とする、請求項３記載の冷蔵庫。
【請求項５】
前記野菜室の温度を検知する温度センサを備え、前記温度センサの検知温度が所定温度より高い場合、前記野菜室ダンパを開状態とすることを特徴とする、請求項４記載の冷蔵庫。
【発明の詳細な説明】
【技術分野】
【０００１】
本発明は、冷蔵庫に関する。
【背景技術】
【０００２】
本技術分野の背景技術として、特開２００６−２６６５８５号公報（特許文献１）がある。
【０００３】
特許文献１には、冷凍用蒸発器と冷蔵用蒸発器とに交互に冷媒を流し、冷凍運転モードと冷蔵運転モードを切り替えて冷却する冷却制御手段と、冷蔵用蒸発器からのダクト中に設けられ野菜室への冷気流通を遮断するダンパと、野菜室内の湿度を検知する湿度検知手段とを備え、冷凍運転モード中で野菜室内湿度が所定値より低いときはダンパを開、湿度が高いときにはダンパを閉状態とし、また、冷蔵運転モード中で野菜室内湿度が所定値より高いときにはダンパを開、湿度が低いときには閉状態とすることが記載されている。
【先行技術文献】
【特許文献】
【０００４】
【特許文献１】特開２００６−２６６５８５号公報
【発明の概要】
【発明が解決しようとする課題】
【０００５】
しかし、特許文献１では、湿度センサの設置位置について十分考慮されていない。例えば、野菜室に湿度センサを設置する場合、局所的に冷気が当たる場所や、冷凍室の低温度の影響を受ける場所では結露が生じ易くなる。湿度センサに結露が生じると、測定値に誤差が含まれるおそれや、測定不能になるおそれがあるため、設置位置が重要となる。
【０００６】
そこで本発明は、野菜室の湿度を適切に検知して湿度制御する冷蔵庫を得ることを目的とする。
【課題を解決するための手段】
【０００７】
上記課題を解決するために、例えば特許請求の範囲に記載の構成を採用する。一例として、野菜室と、該野菜室の後部上方から冷気を吹き出す冷気吹出し口と、を備えた冷蔵庫において、前記野菜室の背面壁であって前記冷気吹出し口と前記収納容器の間に設置されて、前記野菜室内の湿度を検知する湿度センサを備える。
【発明の効果】
【０００８】
本発明によれば、野菜室の湿度を適切に検知して湿度制御する冷蔵庫を得ることができる。
【図面の簡単な説明】
【０００９】
【図１】本発明の実施形態に係る冷蔵庫の正面外形図。
【図２】本発明の実施形態に係る冷蔵庫の庫内の構成を表す図１のＸ−Ｘ断面図。
【図３】本発明の実施形態に係る冷蔵庫の庫内の構成を表す正面図である。
【図４】図２の要部拡大説明図。
【図５】図３の要部拡大説明図。
【図６】本発明の実施形態に係る冷蔵庫の制御を表すフローチャート。
【図７】本発明の実施形態に係る冷蔵庫の制御を表すフローチャート。
【図８】本発明の実施形態に係る冷蔵庫の制御を表すタイムチャート。
【図９】野菜室に負荷を入れない場合の各々の場所の湿度センサの検出値を示す図。
【図１０】野菜室に負荷を入れた場合の各々の場所の湿度センサの検出値を示す図。
【発明を実施するための形態】
【００１０】
本発明に係る冷蔵庫の実施形態を、図１から図５を参照しながら説明する。
【００１１】
図１は、本実施形態の冷蔵庫の正面外形図であり、図２は、冷蔵庫の庫内の構成を表す図１におけるＸ−Ｘ縦断面図であり、図３は、冷蔵庫の庫内の構成を表す正面図であり、冷気ダクトや吹き出し口の配置などを示す図であり、図４は図２の要部拡大説明図である。図５は図３の要部拡大説明図である。
【００１２】
図１に示すように、本実施形態の冷蔵庫１は、上方から、冷蔵室２，製氷室３，上段冷凍室４，下段冷凍室５，野菜室６から構成されている。なお、以下本明細書中では、製氷室３と上段冷凍室４と下段冷凍室５の総称として冷凍室と呼ぶことがある。
【００１３】
冷蔵室２は前方側に、左右に分割された観音開きの冷蔵室扉２ａ，２ｂを備え、製氷室３，上段冷凍室４，下段冷凍室５，野菜室６は、それぞれ引き出し式の製氷室扉３ａ，上段冷凍室扉４ａ，下段冷凍室扉５ａ，野菜室扉６ａを備えている。以下では、冷蔵室扉２ａ，２ｂ，製氷室扉３ａ，上段冷凍室扉４ａ，下段冷凍室扉５ａ，野菜室扉６ａを単に扉２ａ，２ｂ，３ａ，４ａ，５ａ，６ａと称する。
【００１４】
また、冷蔵庫１は、扉２ａ，２ｂ，３ａ，４ａ，５ａ，６ａの開閉状態をそれぞれ検知する図示しない扉センサと、扉開放状態と判定された状態が所定時間、例えば、１分間以上継続された場合に、使用者に報知する図示しないアラーム，冷蔵室２や野菜室６の温度設定や冷凍室６０の温度設定をする図示しない温度設定器等を備えている。
【００１５】
図２に示すように、冷蔵庫１の庫外と庫内は、発泡断熱材（発泡ポリウレタン）を充填することにより形成される断熱箱体１０により隔てられている。冷蔵庫１の断熱箱体１０は複数の真空断熱材２５を実装している。
【００１６】
庫内は、断熱仕切壁２８により冷蔵室２と、上段冷凍室４及び製氷室３（図１参照、図２中で製氷室３は図示されていない）とが隔てられ、断熱仕切壁２９により、下段冷凍室５と野菜室６とが隔てられている。
【００１７】
扉２ａ，２ｂ（図１参照）の庫内側には複数の扉ポケット３２が備えられている。また、冷蔵室２は複数の棚３６により縦方向に複数の貯蔵スペースに区画されている。
【００１８】
図２に示すように、上段冷凍室４，下段冷凍室５及び野菜室６は、それぞれの貯蔵室の前方に備えられた扉４ａ，５ａ，６ａと一体に、収納容器４ｂ，５ｂ，６ｂがそれぞれ設けられており、扉４ａ，５ａ，６ａの図示しない取手部に手を掛けて手前側に引き出すことにより収納容器４ｂ，５ｂ，６ｂが引き出せるようになっている。図１に示す製氷室３にも同様に、扉３ａと一体に、図示しない収納容器（図２中（３ｂ）で表示）が設けられ、扉３ａの図示しない取手部に手を掛けて手前側に引き出すことにより収納容器３ｂが引き出せるようになっている。
【００１９】
野菜室６内には、収納容器６ｂの他に、収納容器６ｆを備えている。収納容器６ｂは収納容器６ｆよりも深い構造である。また、収納容器６ｂは収納容器６ｆの下方に設けられる。すなわち、２段式の収納構造となっている。これにより、収納物の大きさや種類で分類収納でき、収納効率が向上する。具体的に、収納容器６ｆには、比較的、小物の野菜や柔らかくつぶれ易い野菜等を収納する。収納容器６ｂには、比較的、大物の野菜や固くてつぶれにくい野菜等を収納する。
【００２０】
また、野菜室扉６ａを引き出すことで、収納容器６ｂ，６ｆが引き出される構造となっている。冷気は、収納容器６ｂの周囲を流れることで、収納容器６ｂ内に収納された青果物を間接的に冷却する。
【００２１】
図２に示すように（適宜図３〜図５参照）、冷却器７は下段冷凍室５の略背部に備えられた冷却器収納室８内に設けられており、冷却器７の上方に設けられた庫内送風機（送風機）９により冷却器７と熱交換して冷やされた空気（冷気、以下、冷却器７で冷やされてできた低温空気を冷気と称する）が冷蔵室送風ダクト１１，上段冷凍室送風ダクト１２，下段冷凍室送風ダクトである冷気ダクト１３及び図示しない製氷室送風ダクト，野菜室ダクト１６ｂを介して、冷蔵室２，上段冷凍室４，下段冷凍室５，製氷室３，野菜室６の各室へ送られる。各室への送風は冷蔵室ダンパ２０と冷凍室ダンパ５０と野菜室ダンパ４０の開閉により制御される。
【００２２】
本実施形態の冷蔵庫では、野菜室ダンパ４０が下段冷凍室５と野菜室６の断熱仕切りより下方であって、野菜室６の後部に配置されている。よって、冷凍温度の影響を抑えて野菜室ダンパ４０の凍結防止効果が得られる。また、野菜室６近くに野菜室ダンパ４０が設けてあるので、野菜室６の冷気制御がきめ細かに行えるため、保湿効果が高くなる。
【００２３】
また、野菜室ダクト１６ｂは冷凍温度帯の領域に配置されており、その終端に野菜室ダンパ４０が配置される。そのため、野菜室ダクト１６ｂは低温に維持された状態となるので、温度変化による結露や氷結の発生を防止することができる。
【００２４】
ちなみに、冷蔵室２，製氷室３，上段冷凍室４，下段冷凍室５，野菜室６の各送風ダクトは、図３に破線で示すように冷蔵庫１の各室の背面側に設けられている。
【００２５】
風路は前後に分割されており、手前側風路が野菜室ダクト１６ｂ、奥側風路が冷蔵室戻りダクト１６ａとなっている。
【００２６】
具体的には、冷蔵室ダンパ２０，野菜室ダンパ４０が開状態、冷凍室ダンパ５０が閉状態のときには、冷気は、冷却器収納室８の上部で冷蔵室２側と野菜室６側に風路が分岐して、一方は冷蔵室送風ダクト１１を経て多段に設けられた吹き出し口２ｃから冷蔵室２へ送られる。他方は、野菜室ダクト１６ｂを経て野菜室６背面右側上部に設けられた野菜室吹き出し口６ｃから野菜室６に流入して野菜室６を冷却する。
【００２７】
冷蔵室２の冷却を終えた後は、冷蔵室２背面右側下部に備えられた冷蔵室戻り口２ｄから冷蔵室戻りダクト１６ａを介して冷却器７の右側に設けられた冷蔵室戻り吐出口１６ａ１から流入する（図３または図５参照）。
【００２８】
野菜室６の冷却を終えた後は、断熱仕切壁２９の下部前方に設けられた、野菜室戻り口６ｄから、野菜室戻りダクト１８を介して、冷却器７の左側に設けられた野菜室戻り吐出口１８ａから流入する（図３参照）。
【００２９】
図３では、冷凍室ダンパ５０が省略されているが、冷凍室ダンパ５０が開状態のとき、冷却器７で熱交換された冷気が庫内送風機９により図示省略の製氷室送風ダクトや上段冷凍室送風ダクト１２を経て吹き出し口３ｃ，４ｃからそれぞれ製氷室３，上段冷凍室４へ送風され、冷気ダクト１３を経て吹き出し口５ｃから上段冷凍室４へ送風される。
【００３０】
一般に、周囲温度に対して低温の冷気は、上方から下方に向かう下降流を形成するので、冷気は貯蔵室の上方により多く供給することで、室内を良好に冷却できる。本実施形態の冷蔵庫では、冷凍室ダンパ５０を設けているが、これを庫内送風機の上方に設置することで、庫内送風機からの送風をスムーズに、冷凍温度帯室の上段に位置する製氷室３や上段冷凍室４に送風できるように配慮している。
【００３１】
図５に示すように、冷蔵室２からの戻り冷気は、冷却器収納室８の側方に備えられた冷蔵室戻りダクト１６ａを通って、冷却器収納室８に流入する。野菜室６からの戻り冷気は、野菜室戻り口６ｄ（図２参照）から流入し、図４に示すように、断熱仕切壁２９の中に設けられた野菜室戻りダクト１８を通って、冷却器収納室８の下部前方に設けられた、冷却器７の左側の野菜室戻り吐出口１８ａ（図５参照）から、冷却器収納室８に流入する。
【００３２】
一方、冷凍室６０を冷却した冷気は、図４に示すように、冷却器収納室８と冷凍室６０を仕切る仕切板５４の下部に備えられた、冷凍室戻り口１７を介して冷却器収納室８に流入する。なお、冷却器収納室８の下方には、除霜ヒータ２２が備えられている。除霜ヒータ２２は、ガラス管ヒータであり、ガラス管の外周にはアルミニウム製の放熱フィン２２ａが備えられている。除霜ヒータ２２の上方には、除霜水が除霜ヒータ２２に滴下することを防止するために、上部カバー５３が設けられている。
【００３３】
冷却器７及びその周辺の冷却器収納室８の壁に付着した霜が除霜によって融解することで生じた除霜水は、冷却器収納室８の下部に備えられた樋２３に流入した後に、排水管２７を介して後記する機械室１９に配された蒸発皿２１に達し、圧縮機２４及び、機械室１９内に配設される図示しない凝縮器の発熱により蒸発させられる。
【００３４】
また、冷却器７の正面から見て左上部には冷却器に取り付けられた冷却器温度センサ３５、冷蔵室２には冷蔵室温度センサ３３、下段冷凍室５には冷凍室温度センサ３４がそれぞれ備えられており、それぞれ冷却器７の温度（以下、冷却器温度と称する），冷蔵室２の温度（以下、冷蔵室温度と称する），下段冷凍室５の温度（以下、冷凍室温度と称する）を検知できるようになっている。さらに、冷蔵庫１は、庫外の温度を検知する図示しない外気温度センサを備えている。
【００３５】
野菜室６には、野菜室温度センサ３３ａ及び野菜室湿度センサ４１が配置してある。野菜室温度センサ３３ａ及び野菜室湿度センサ４１は、野菜室６の背面壁であって、野菜室ダンパ４０から吹き出された冷気が直接吹き付けられない位置に配置してある。また、野菜室６全体の高さの下方寄りであって、収納容器６ｂ，６ｆの外側に配置している。これにより、野菜室温度センサ３３ａ及び野菜室湿度センサ４１が結露することを抑制して、温度及び湿度の正確な測定が可能である。
【００３６】
また、野菜室６の後方には機械室１９が設置されているため、野菜室６の後壁は、上方よりも下方が手前に位置している。そして、野菜室温度センサ３３ａ及び野菜室湿度センサ４１は、後壁の手前にせり出した部分に配置して、野菜室ダンパ４０（野菜室吹き出し口６ｃ）は、後壁の奥方に入り込んだ部分に配置している。これにより、吹出し冷気の影響を受けにくく、野菜室６内の湿度及び温度を適切に検知することができる。
【００３７】
また、本実施例の野菜室湿度センサ４１は、野菜室温度センサ３３ａと実質上一体に配置してセンサ検出面を露出するように設置する。野菜室温度センサ３３ａ，野菜室湿度センサ４１は、結露や水濡れから保護するために、スリット式の保護部材を備えている。
【００３８】
冷蔵庫１の天井壁上面側にはＣＰＵ，ＲＯＭやＲＡＭ等のメモリ，インターフェース回路等を搭載した制御基板３１が配置されており（図２参照）、制御基板３１は、前記した外気温度センサ，冷却器温度センサ３５，冷蔵室温度センサ３３，野菜室温度センサ３３ａ，冷凍室温度センサ３４，扉２ａ，２ｂ，３ａ，４ａ，５ａ，６ａの各扉の開閉状態をそれぞれ検知する前記した扉センサ，冷蔵室２内壁に設けられた図示しない温度設定器，下段冷凍室５内壁に設けられた図示しない温度設定器等と接続し、前記ＲＯＭにあらかじめ搭載されたプログラムにより、圧縮機２４のＯＮ，ＯＦＦ等の制御，冷蔵室ダンパ２０，野菜室ダンパ４０、及び冷凍室ダンパ５０を個別に駆動する図示省略のそれぞれのアクチュエータの制御，庫内送風機９のＯＮ／ＯＦＦ制御や回転速度制御，前記した扉開放状態を報知するアラームのＯＮ／ＯＦＦ等の制御を行う。
【００３９】
次に、本実施形態の冷蔵庫の冷却運転の制御について、図６を参照しながら説明する。図６は本実施形態の冷蔵庫の基本的な制御を表す制御フローチャートである。制御は、制御基板３１（図２参照）のＣＰＵがＲＯＭに格納されたプログラムを実行することによって行われる。
【００４０】
図６に示すように、冷蔵庫は電源投入により運転が開始され（スタート）、冷蔵庫の庫内各室が冷却され、基本的な熱負荷が、庫外からの熱侵入のみとなった時点から、それ以降は、ユーザーが扉の開閉を行い熱負荷が増加する、あるいは、庫外温湿度環境が変化して熱侵入量が変化するといったことがなければ、一定の運転パターンを繰り返す（安定冷却運転）。図６では、この安定冷却運転状態に至るまでの制御過程は省略している。
【００４１】
なお、本実施形態の冷蔵庫の安定した冷却運転時には、野菜室は冷蔵室や冷凍室運転と独立して制御を行うため、図６では冷蔵室や冷凍室のサイクルを示す。
【００４２】
安定冷却運転時は、一定の運転パターン（運転サイクル）を繰り返すが、ここでは冷凍室運転が実施されている状態から説明をする（ステップＳ１０１）。冷凍室運転とは、「庫内送風機ＯＮ，冷蔵室ダンパ閉，冷凍室ダンパ開，圧縮機ＯＮ（高回転）」の状態で、冷凍室の冷却を実施する運転である。
【００４３】
冷凍室運転が実施されている状態で、冷蔵室扉２ａ，２ｂの開閉を検知する冷蔵室扉センサによって冷蔵室扉２ａ，２ｂの開閉が検知されると（ステップＳ１０２）、ステップＳ２０１に進む（ステップＳ２０１については後述）。冷蔵室扉２ａ，２ｂの開閉がなければ、続いて、冷蔵室温度センサ３３によって検知される冷蔵室温度があらかじめ設定されている冷蔵室上限温度ＴＲ_２（本実施形態の冷蔵庫ではＴＲ_２＝６℃）より高いか否かが判定される（ステップＳ１０３）。
【００４４】
冷蔵室温度＞冷蔵室上限温度ＴＲ_２となっていない場合（Ｎｏ）（冷蔵室温度＞冷蔵室上限温度ＴＲ_２となっている場合（Ｙｅｓ）の制御は後述）、冷凍室温度センサ３４によって検知される冷凍室温度が、あらかじめ設定されている冷凍室下限温度ＴＦ_１（本実施形態の冷蔵庫ではＴＦ_１＝−２１℃）より低いかどうかが判定される（ステップＳ１０４）。なお、冷凍室温度＜冷凍室下限温度ＴＦ_１となっていない場合（Ｎｏ）は、再びステップＳ１０１に戻る。
【００４５】
ステップＳ１０４で、冷凍室温度＜冷凍室下限温度ＴＦ_１となった場合（Ｙｅｓ）は、続いて、冷蔵室温度と、あらかじめ設定されている判定基準温度ＴＲ_ａ（本実施形態の冷蔵庫ではＴＲ_ａ＝５℃），ＴＲ_ｂ（本実施形態の冷蔵庫ではＴＲ_ｂ＝４℃）との比較を行い、その比較結果に基づいて、冷却器温度センサ３５の検知温度に関する基準温度Ｔｅｖｐの値を選択する。具体的には、冷蔵室温度＞ＴＲ_ａであればＴｅｖｐ＝Ｔｅｖｐ_１（本実施形態の冷蔵庫ではＴｅｖｐ_１＝３℃）とし、ＴＲ_ａ≧冷蔵室温度＞ＴＲ_ｂであれば、Ｔｅｖｐ＝Ｔｅｖｐ_２（本実施形態の冷蔵庫ではＴｅｖｐ_２＝−１０℃）とし、ＴＲ_ｂ≧冷蔵室温度であれば、Ｔｅｖｐ＝Ｔｅｖｐ_３（本実施形態の冷蔵庫ではＴｅｖｐ_２＝−１８℃）とする（ステップＳ１０５）。
【００４６】
したがって、Ｔｅｖｐの値は、外気温度が高く、冷蔵室温度が上昇しやすい場合には、Ｔｅｖｐ１が選択され、外気温度が低く、冷蔵室温度が上昇し難い場合には、Ｔｅｖｐ３が選択され、その間の外気温度程度であればＴｅｖｐ２が選択される。また、例えば、食品かすなどを挟みこみ、冷蔵室扉２ａ、あるいは、２ｂにわずかな隙間が生じ、そのために定常的に熱負荷は増えるが、冷蔵室扉センサは隙間が小さいために扉は閉状態と認識して扉開放状態を知らせるアラームが鳴動しない状態となることがある。この場合には、外気温が比較的低くても、冷蔵室の温度が上昇しやすくなることがあり、Ｔｅｖｐの値は、Ｔｅｖｐ_２やＴｅｖｐ_１が選択されることもある。
【００４７】
続いて霜冷却運転（第一の運転）が実施される（ステップＳ１０６）。霜冷却運転とは、「庫内送風機ＯＮ，冷蔵室ダンパ開，冷凍室ダンパ閉，圧縮機ＯＦＦ」の状態で実施される運転（第一の運転）である。霜冷却運転が実施されている状態では、冷蔵室温度があらかじめ設定されている冷蔵室下限温度ＴＲ_１（本実施形態の冷蔵庫ではＴＲ_１＝１.５℃）より低いか否か（ステップＳ１０７）、冷却器温度がステップＳ１０５で設定された基準温度Ｔｅｖｐより高いか否か（ステップＳ１０８）が判定され、冷蔵室温度＜冷蔵室下限温度ＴＲ_１を満足せず（Ｎｏ）、また、冷却器温度＞基準温度Ｔｅｖｐを満足しない場合（Ｎｏ）には、冷凍室温度が、あらかじめ設定されている圧縮機ＯＮ温度ＴＦ_２（本実施形態の冷蔵庫ではＴＦ_２＝−１９℃）より高いか否かが判定され（ステップＳ１０９）、冷凍室温度＞圧縮機ＯＮ温度ＴＦ_２が満足されない場合（Ｎｏ）には、再びステップＳ１０７に戻る。
【００４８】
ステップＳ１０９において、冷凍室温度＞圧縮機ＯＮ温度ＴＦ_２となっている（Ｙｅｓ）と判定された場合は、続いて圧縮機がＯＮされて、低回転（本実施形態の冷蔵庫ではこのときの圧縮機回転数は１２００min-1）で運転される冷蔵室運転となる（ステップＳ１１０）。すなわち、冷蔵室運転（第二の運転）とは、「庫内送風機ＯＮ，冷蔵室ダンパ開，野菜室ダンパ開，冷凍室ダンパ閉，圧縮機ＯＮ（低回転）」の状態で、冷蔵室の冷却を実施する運転である。
【００４９】
冷蔵室運転（第二の運転）が実施されている状態では、冷凍室温度があらかじめ設定された冷凍室上限温度ＴＦ_３（本実施形態の冷蔵庫ではＴＦ_３＝−１６℃）より高いか否かが判定され（ステップＳ１１１）、冷凍室温度＞冷凍室上限温度ＴＦ_３が満足されない（Ｎｏ）と判定された場合には（冷凍室温度＞冷凍室上限温度ＴＦ_３が満足される場合（Ｙｅｓ）の制御は後述）、冷蔵室温度＜冷蔵室下限温度ＴＲ_１の判定に移る（ステップＳ１１２）。冷蔵室温度＜冷蔵室下限温度ＴＲ_１が満足されない場合（Ｎｏ）には、再びステップＳ１１１に戻る。
【００５０】
ステップＳ１１２において、冷蔵室温度＜冷蔵室下限温度ＴＲ_１が満足された場合（Ｙｅｓ）、「冷凍室ダンパ開，冷蔵室ダンパ閉」となり（ステップＳ１１３）、続いて、圧縮機が高回転（本実施形態の冷蔵庫ではこのときの圧縮機回転数は１９００min-1）になるとともに、庫内送風機が停止される（ステップＳ１１４）。所定時間（本実施形態の冷蔵庫では３０秒）経過後（ステップＳ１１５）、庫内送風機が稼動され、冷凍室運転が開始される（ステップＳ１１６）。ステップＳ１１６の冷凍室運転は、ステップＳ１０１で説明した冷凍室運転の状態であるので、以上が本実施形態の冷蔵庫の安定冷却運転時の運転サイクルとなる。
【００５１】
なお、冷蔵庫では、扉開閉や、比較的温度が高い食品を収納するといったことがあると、熱負荷が一時的に増すことになる。以下では、本実施形態の冷蔵庫の熱負荷が一時的に増した場合の制御について説明する。
【００５２】
本実施形態の冷蔵庫では、ステップＳ１０２において、冷蔵室扉２ａ，２ｂの開閉の有無を判定しており、冷蔵室扉２ａ，２ｂの扉開閉があった場合、ステップＳ２０１に進むようになっている。ステップＳ２０１では、冷蔵室上限温度ＴＲ_２がＴＲ_２′に置き換わる（本実施形態の冷蔵庫ではＴＲ_２＝６℃がＴＲ_２′＝８℃になる）。冷蔵室上限温度ＴＲ_２を、ＴＲ_２′と上書きしたらステップＳ１０１に戻る。
【００５３】
ステップＳ１０１に戻ると、扉が既に閉じられていれば（ステップＳ１０２がＮｏと判定されれば）、続いてステップＳ１０３において、冷蔵室温度＞冷蔵室上限温度ＴＲ_２の判定が行われる。ここでは、ステップＳ２０１において、冷蔵室上限温度ＴＲ_２がＴＲ_２′で上書きされているため、冷蔵室上限温度が高くなっている。
【００５４】
したがって、冷蔵室の扉開閉がない場合よりも、ステップＳ１０３における冷蔵室温度＞冷蔵室上限温度ＴＲ_２は満足され難くなる。ステップＳ１０３における冷蔵室温度＞冷蔵室上限温度ＴＲ_２が満足された場合（Ｙｅｓ）は、冷蔵室の冷却が必須な状態とみなし、冷蔵室ダンパ２０を開状態として、冷蔵冷凍運転、すなわち、「庫内送風機ＯＮ，冷蔵室ダンパ開，冷凍室ダンパ開，圧縮機ＯＮ（高回転）」の運転として、冷蔵室と冷凍室の両方が冷却される（ステップＳ３０１）。ステップＳ３０１により冷蔵冷凍運転が開始された後には、ステップＳ１１２に移る。なお、冷蔵室上限温度ＴＲ_２は、所定時間（本実施形態の冷蔵庫では３０分）経過後にＴＲ_２′（＝８℃）から再び元の値のＴＲ_２（＝６℃）に戻るようになっている。
【００５５】
また、ステップＳ１１２によって冷蔵室運転中に冷凍室温度＞冷凍室上限温度ＴＦ_３の判定が行われる。冷凍室温度＞冷凍室上限温度ＴＦ_３が満足された場合（Ｙｅｓ）、冷凍室の冷却が必須な状態とみなし、圧縮機を高回転とし、冷凍室ダンパ５０を開状態として、冷蔵冷凍運転、すなわち、「庫内送風機ＯＮ，冷蔵室ダンパ開，冷凍室ダンパ開，圧縮機ＯＮ（高回転）」の運転として、冷蔵室と冷凍室の両方が冷却される（ステップＳ３０１）。ステップＳ５０１により冷蔵冷凍運転が開始された後には、ステップＳ１１２に移る。
【００５６】
また、ステップＳ１０７（冷蔵室温度＜冷蔵室下限温度ＴＲ_１）、または、ステップＳ１０８（冷却器温度＞Ｔｅｖｐ（ステップＳ１０５で設定された基準温度）の何れかが満足される（Ｙｅｓ）と、霜冷却運転中に庫内送風機が停止され（ステップＳ４０１）、ステップＳ１０９に移る。
【００５７】
次に、野菜室６の具体的な冷却制御方法について、図７を用いて説明する。野菜室６の温度が上昇すると、貯蔵した野菜等の呼吸作用による熱放出で、貯蔵室内温度が上がる。さらに、貯蔵した野菜等の呼吸・蒸散作用が促進されて乾燥が進むため、本実施例では温度を最優先として制御を行う。
【００５８】
圧縮機のＯＮ時（図６のステップＳ１１０の冷蔵室運転（第二の運転時））、冷却器７で熱交換した低湿な冷気が送風機９で送風される。まず、野菜室６を所定温度（一例として、３〜５℃の範囲内）に設定すると、野菜室温度センサ３３ａにより、所定時間間隔で野菜室６の温度を検出する。
【００５９】
野菜室温度センサ３３ａの検出温度が所定温度（野菜室ダンパ閉温度：ＴＶ_１）より高い場合、貯蔵した野菜の呼吸が促進されて乾燥が進むので、野菜室ダンパ４０を開とする。
【００６０】
野菜室温度センサ３３ａの検出温度が所定温度（野菜室ダンパ閉温度：ＴＶ_１）より低い場合、次に野菜室湿度センサ４１の検出湿度を参照する。検出湿度が設定湿度（野菜室ダンパ閉湿度：ＨＶ_１）より低い場合は、野菜室ダンパ４０を閉とする。これにより、余分な冷気を野菜室６に流入させずに、野菜の乾燥を抑制する。検出湿度が設定湿度（野菜室ダンパ閉湿度：ＨＶ_１）より高い場合は、野菜室ダンパ４０を開として、素早く冷気を送り、湿度を下げて結露を抑制する。
【００６１】
次に、圧縮機がＯＦＦ時は（図６のステップＳ１０６の霜冷却運転（第一の運転））、野菜室６内に高湿な冷気が流入されることとなる。まず、野菜室６の設定温度（一例として３〜５℃の範囲内）に設定すると、野菜室温度センサ３３ａにより、所定時間間隔で温度を検出する。
【００６２】
野菜室温度センサ３３ａの検出温度が所定温度（野菜室ダンパ閉温度：ＴＶ_２＜ＴＶ_１）より高い場合は、野菜室ダンパ４０を開にして、素早く冷気を送り温度を下げて、野菜の呼吸，蒸散作用を抑制する。
【００６３】
野菜室温度センサ３３ａの検出温度が所定温度（野菜室ダンパ閉温度：ＴＶ_２）より低い場合は、次に野菜室湿度センサ４１の検出湿度を参照する。検出湿度が設定湿度（野菜室ダンパ閉湿度：ＨＶ_２＜ＨＶ_１）より低い場合は、野菜室ダンパ４０を開として、霜冷却により潤った冷気を野菜室６に入れて高湿化する。検出湿度が設定湿度（野菜室ダンパ閉湿度：ＨＶ_２）より高い場合は、野菜室ダンパ４０を閉とし湿度の高い冷気の流入を抑制し、結露を抑制する。
【００６４】
図８は、本実施形態の冷蔵庫の、野菜室ダンパ４０の制御のタイムチャートを示す。野菜室は、冷蔵室及び冷凍室の冷却運転制御とは別の制御となる。そこで、図６の基本制御を参照にしながら、野菜室６の制御について説明する。
【００６５】
図６のステップＳ１１０の冷蔵室運転（第二の運転）は、「庫内送風機ＯＮ，冷蔵室冷却ダンパ開，野菜室冷却ダンパ開，冷凍室冷却ダンパ閉，圧縮機ＯＮ（低回転）」の制御となる。ここで、図７より圧縮機がＯＮの状態で、野菜室６の温度が設定温度（野菜室ダンパ閉温度：ＴＶ_１）より高い場合は、野菜室ダンパ４０を開けて野菜室６の冷却を行う。野菜室６の温度が設定温度（野菜室ダンパ閉温度：ＴＶ_１）より低い場合は、ダンパを閉じて余計な冷気を野菜室へ流入させないように制御する。
【００６６】
図６のステップＳ１０６の霜冷却運転（第一の運転）は、「庫内送風機ＯＮ，冷蔵室冷却ダンパ開，冷凍室冷却ダンパ閉，圧縮機ＯＦＦ」の状態で実施される運転となる。ここで、図７より圧縮機がＯＦＦの状態で、野菜室６の温度が設定温度（野菜室ダンパ閉温度：ＴＶ_２＜ＴＶ_１）より高い場合は、野菜室ダンパ４０を開けて野菜室６の冷却を行う。野菜室６の温度が設定温度（野菜室ダンパを閉温度：ＴＶ_２）より低い場合は、野菜室ダンパ４０を閉じる。
【００６７】
また、霜冷却運転時は、冷却器７に付着した霜を融解し、融解により水分を多く含んだ冷気を野菜室６に吹き出し循環させることで、野菜室６の湿度が向上する。そこで、野菜室ダンパ４０の閉温度は、通常冷却運転時よりも霜冷却運転時で低く設定して（ＴＶ_２＜ＴＶ_１）、且つ野菜室湿度が設定湿度（ＨＶ_２）よりも低い場合に積極的に霜冷却運転を行う。
【００６８】
これにより、圧縮機の運転を必要としない霜冷却運転で、野菜室６の野菜へ潤いを与えることができる。また、冷蔵室，野菜室の冷却を単独で制御することで、圧縮機の回転数を必要以上に高くせずに低回転とでき、温度変動を抑制し乾燥を抑制することが可能となる。
【００６９】
また、野菜室は冷蔵室とは独立に制御するので、冷蔵室の温度に依存せずに野菜室が必要とする冷気を供給でき、野菜室の温度管理が細かく行える。
【００７０】
次に、図９，図１０を用いて、湿度センサの設置位置について説明する。
【００７１】
本実施例では、野菜室湿度センサ４１の検出値に応じて野菜室ダンパ４０の開閉を行う。そこで、野菜室湿度センサ４１の設置位置は、温度帯の異なる他の貯蔵室の影響や、冷気の影響を受けずに、野菜室６の湿度を安定して検出可能な場所が望ましい。
【００７２】
ここで、野菜室６の実際の湿度は、野菜が収納される収納容器６ｂ，６ｆの中央の値となる。しかし、野菜室湿度センサ４１は、食品に直接触れると安定した値を得にくい。また、使用者の用途により、収納容器６ｂ，６ｆは取り外し可能である。よって、野菜室湿度センサ４１を収納容器６ｂ，６ｆ内に設置するのは望ましくない。また、本実施例の構造では、収納容器６ｂは収納容器６ｆにより、上面が蓋をされる構造となるので、湿度を高湿に保ち易い。そこで、より湿度変動が大きい、収納容器６ｆの中央と近い相関が取れれば、湿度センサとして最適な場所と言える。
【００７３】
そこで、野菜室湿度センサ４１の設置位置について検討を行った。野菜室湿度センサ４１は、（１）野菜室６背面の下部左側、（２）断熱仕切壁２９の下部前方に設けられた野菜室戻り口６ｄ、（３）野菜室吹き出し口６ｃ、（４）野菜室容器６ｆの中央の計４箇所にそれぞれ設置して測定を行った。
【００７４】
測定は外気環境を（温度２０℃、湿度７０％ＲＨ）とし、野菜室に負荷（２５ｇ／Ｌ当たりの葉物野菜）を入れた場合で試験を行った。
【００７５】
図９には、野菜室吹き出し口６ｃの湿度（符号７０ｃ）と野菜室容器６ｆの中央の湿度（符号７０ｆ）の検出値測定結果を示す。図９より、野菜室吹き出し口６ｃの湿度（７０ｃ）は圧縮機の運転影響が強く、湿度変動が大きい結果となり、安定した湿度応答を得にくいことがわかる。よって、収納容器６ｆの中央の湿度（７０ｆ）の検出値との相関がとれていない。
【００７６】
次に図１０に、野菜室６背面の下部左側の湿度（符号７０ｅ）、断熱仕切壁２９の下部前方に設けられた野菜室戻り口６ｄの湿度（符号７０ｄ）、野菜室容器６ｆの中央の湿度（符号７０ｆ）の検出値測定結果を示す。図１０より、野菜室６背面の下部左側の湿度（７０ｅ）は、収納容器６ｆの中央の湿度（７０ｆ）と同様の湿度変化の波形が検出された。一方、野菜室戻り口６ｄの湿度（７０ｄ）は、上部の冷凍室から低温の熱影響を受けて、収納容器６ｆの中央の湿度（７０ｆ）波形とは別のピークがある波形が見られた。
【００７７】
図９，図１０より野菜室吹き出し口６ｃ付近は、圧縮機駆動の影響を受けて値が大きく変動するため、湿度センサの設置位置として適さない。また、野菜室戻り口６ｄ付近は、冷凍室から低温の熱影響を受けるため、湿度センサの設置位置として適さない。
【００７８】
以上より、野菜室戻り口６ｄや野菜室吹き出し口６ｃから離れた、野菜室６背面の下部が、実際の野菜室６の湿度と相関がとれ、安定した湿度を検出できるため、野菜室湿度センサ４１の設置位置として適切であるといえる。よって、野菜室吹き出し口６ｃ（冷気吹出し口）と収納容器６ｂの間に野菜室湿度センサ４１を設置する。
【符号の説明】
【００７９】
１  冷蔵庫
２  冷蔵室（冷蔵温度帯室）
３  製氷室（冷凍温度帯室）
４  上段冷凍室（冷凍温度帯室）
５  下段冷凍室（冷凍温度帯室）
６  野菜室（冷蔵温度帯室）
７  冷却器
８  冷却器収納室
９  庫内送風機（送風機）
１０  断熱箱体
１１  冷蔵室送風ダクト
１２  上段冷凍室送風ダクト
１３  冷気ダクト
１５  冷蔵室ダクト
１６  冷蔵室−野菜室ダクト
１６ａ  冷蔵室戻りダクト
１６ｂ  野菜室ダクト
１７  冷凍室戻り口
１８  野菜室戻りダクト
１８ａ  野菜室戻り吐出口
２０  冷蔵室ダンパ
２１  蒸発皿
２２  除霜ヒータ
２４  圧縮機
３１  制御基板
３３  冷蔵室温度センサ
３３ａ  野菜室温度センサ
３４  冷凍室温度センサ
３５  冷却器温度センサ
４０  野菜室ダンパ
４１  野菜室湿度センサ
５０  冷凍室ダンパ
５３  上部カバー
５４  仕切板
【図１】
2012092986.tif 000003
【図２】
2012092986.tif 000004
【図３】
2012092986.tif 000005
【図４】
2012092986.tif 000006
【図５】
2012092986.tif 000007
【図６】
2012092986.tif 000008
【図７】
2012092986.tif 000009
【図８】
2012092986.tif 000010
【図９】
2012092986.tif 000011
【図１０】
2012092986.tif 000012